(57)【要約】【課題】  トレイにディスクが載置されたままでも光ピックアップに設けた小基板のパターンをショートできメイン基板取替え時の時間短縮を図れるＤＶＤプレーヤーを提供する。【解決手段】  ディスクＤを載置するトレイ３の下側に光ピックアップ６が配置され、トレイにはディスク載置部の中央部から奥側に向けて開口部５が形成され、光ピックアップの奥側に小基板９が配置され、小基板とトレイの側方に配置されたメイン基板４のコネクタ１０はフレキシブルフラットケーブル１１で接続され、メイン基板を交換するときに静電破壊防止のために小基板のパターンをショートするもので、光ピックアップの奥側面に左右一対の腕部７が奥向きに延設され、腕部の端部に設けられた板状部８に小基板が取り付けられ、トレイの奥側とトレイの下側のドライブシャーシ１２の奥側に光ピックアップが奥側に移動するときに小基板の圧接を防止するための切込み部３ａ、１２ａを形成した。【選択図】  図１
2008034048.tif 000002
【特許請求の範囲】
【請求項１】
ディスクを載置するトレイの下側に光ピックアップが配置され、前記トレイにはディスク載置部分の中央部から奥側に向けて開口部が形成されており、前記光ピックアップの奥側には小基板が配置され、この小基板と前記トレイの側方に配置されたメイン基板のコネクタとはフレキシブルフラットケーブルで接続されており、前記メイン基板を交換するときに静電破壊防止のために前記小基板のパターンをショートするようにしたＤＶＤプレーヤーにおいて、前記光ピックアップの奥側面に左右一対の腕部が奥向きに延設され、前記一対の腕部の端部に設けられた板状部に前記小基板が取り付けられ、前記トレイの奥側と前記トレイの下側のドライブシャーシの奥側に前記光ピックアップが奥側に移動するときに前記小基板が圧接することを防止するための切込み部がそれぞれ形成されており、前記小基板のパターンをショートするときに前記小基板が前記ディスクで覆われないように構成したことを特徴とするＤＶＤプレーヤー。
【請求項２】
ディスクを載置するトレイの下側に光ピックアップが配置され、前記トレイにはディスク載置部分の中央部から奥側に向けて開口部が形成されており、前記光ピックアップの奥側には小基板が配置され、この小基板と前記トレイの側方に配置されたメイン基板のコネクタとはフレキシブルフラットケーブルで接続されており、前記メイン基板を交換するときに静電破壊防止のために前記小基板のパターンをショートするようにしたＤＶＤプレーヤーにおいて、前記光ピックアップの奥側面に奥向きに腕部が延設され、前記腕部の端部に設けられた板状部に前記小基板が取り付けられ、前記腕部に前記光ピックアップが奥側に移動するときに前記小基板が前記トレイの奥部と前記トレイの下側のドライブシャーシの奥部に圧接することを防止するための圧接防止手段が設けられており、前記小基板のパターンをショートするときに前記小基板が前記ディスクで覆われないように構成したことを特徴とするＤＶＤプレーヤー。
【請求項３】
前記圧接防止手段は、前記腕部の奥側に設けられた長孔と、前記板状部から前向きに突設されて前記長孔に前後移動可能に挿入されて伸縮自在とされたロッドと、前記腕部の奥端と前記板状部との間に配置されて前記ロッドに巻設されたスプリングとで構成されている請求項２に記載のＤＶＤプレーヤー。
【発明の詳細な説明】
【技術分野】
【０００１】
本発明は、ディスクを載置するトレイの下側に光ピックアップが配置され、前記トレイにはディスク載置部分の中央部から奥側に向けて開口部が形成されており、前記光ピックアップの奥側には小基板が配置され、この小基板と前記トレイの側方に配置されたメイン基板のコネクタとはフレキシブルフラットケーブルで接続されており、前記メイン基板を交換するときに静電破壊防止のために前記小基板のパターンをショートするようにしたＤＶＤプレーヤーに関するものである。
【背景技術】
【０００２】
一般に、ＤＶＤプレーヤーは、図３に示すように、シャーシからなる筐体１０１の前端にフロントパネル１０２が取り付けられ、この筐体１０１内にトレイ１０３が出入り自在に配置され、このトレイ１０３の側部にメイン基板１０４が配置されている。更に、トレイ１０３にはディスクＤを載置する部分の中央部から奥側に向けて開口部１０４が形成され、トレイ１０３の下側に光ピックアップ１０５が移動可能に配設されている。従来は、この光ピックアップ１０５の奥側面に小基板１０６が縦向きに配置されており、この小基板１０６は、トレイ１０３にディスクＤを載置したときに、このディスクＤの裏側に隠れてしまうように構成されていた。メイン基板１０４を交換する場合は、静電破壊防止のために小基板１０６のパターンをショートするようになっている。ところが、小基板１０６がディスクＤの裏側に隠れてしまうために、ディスクＤをいったん外に取り出してから小基板１０６のパターンをショートしなければならないという問題があり、ディスクＤを挿入したままでは、メイン基板１０４の交換ができないという問題があった。
【０００３】
第１の従来技術を図４に示す。この従来の基板検査装置は、図４に示すように、配線パターンの静電容量を検出する静電容量検出部２０５と、プローブ２０２、２０３の間の抵抗値を検出する抵抗値検出部２０４と、ベタ導体部２１４と重ならない配線パターンＮ４のネット番号を記憶する特定配線パターン記憶部２８３と、配線パターンＮ１、Ｎ２、Ｎ３とベタ導体部２１４との間の静電容量を用いて配線パターンと他の配線パターンとの間の短絡の有無を判定する一方、配線パターンＮ４の検査を行うとき、配線パターンＮ４と他の配線パターンとにそれぞれプローブ２０２、２０３を位置させると共に、抵抗値検出部２０４に検出させたプローブ２０２、２０３の間の抵抗値を用いて配線パターンＮ４と他の配線パターンとの間の短絡の有無を判定する検査制御部２０８とを備えている。（例えば、特許文献１参照）。
【０００４】
ところが、これにおいては、配線パターンＮ１、Ｎ２、Ｎ３等が設けられている配線層２１１の上側に検査する際に邪魔になるものがないものであった。
【０００５】
第２の従来技術を図５に示す。この従来の基板検査装置は、図５に示すように、パッドＰ１に検査用接触子であるプローブ３０２を接触させたままパッドＰ２、Ｐ３、Ｐ４に他のプローブ３０３を順次接触させ、プローブ３０２、３０３及び抵抗値検出部３０４を用いて導通検査を行うと共に、パッドＰ１にプローブ３０２を接触させたままで、プローブ３０２、クリップ３１０及び静電容量検出部３０５を用いて静電容量検査を行うものであった。（例えば、特許文献２参照）。
【０００６】
ところが、これにおいては、パッドＰ２、Ｐ３、Ｐ４等が設けられている配線層３１１の上側に検査する際に邪魔になるものがないものであった。
【特許文献１】特開２００５−３０８８２号公報
【特許文献２】特開２００５−１７２２１号公報
【発明の開示】
【発明が解決しようとする課題】
【０００７】
本発明は、上記従来の問題に鑑みてなされたものであって、トレイにディスクが載置されたままでも、光ピックアップに設けられた小基板のパターンをショートさせることができてメイン基板取替え時の時間短縮を図ることができるＤＶＤプレーヤーを提供することを目的としている。
【課題を解決するための手段】
【０００８】
本発明は、上記課題を解決するために提案されたものであって、請求項１に記載の発明は、ディスクを載置するトレイの下側に光ピックアップが配置され、前記トレイにはディスク載置部分の中央部から奥側に向けて開口部が形成されており、前記光ピックアップの奥側には小基板が配置され、この小基板と前記トレイの側方に配置されたメイン基板のコネクタとはフレキシブルフラットケーブルで接続されており、前記メイン基板を交換するときに静電破壊防止のために前記小基板のパターンをショートするようにしたＤＶＤプレーヤーにおいて、前記光ピックアップの奥側面に左右一対の腕部が奥向きに延設され、前記一対の腕部の端部に設けられた板状部に前記小基板が取り付けられ、前記トレイの奥側と前記トレイの下側のドライブシャーシの奥側に前記光ピックアップが奥側に移動するときに前記小基板が圧接することを防止するための切込み部がそれぞれ形成されており、前記小基板のパターンをショートするときに前記小基板が前記ディスクで覆われないように構成したことを特徴としている。
【０００９】
請求項２に記載の発明は、ディスクを載置するトレイの下側に光ピックアップが配置され、前記トレイにはディスク載置部分の中央部から奥側に向けて開口部が形成されており、前記光ピックアップの奥側には小基板が配置され、この小基板と前記トレイの側方に配置されたメイン基板のコネクタとはフレキシブルフラットケーブルで接続されており、前記メイン基板を交換するときに静電破壊防止のために前記小基板のパターンをショートするようにしたＤＶＤプレーヤーにおいて、前記光ピックアップの奥側面に奥向きに腕部が延設され、前記腕部の端部に設けられた板状部に前記小基板が取り付けられ、前記腕部に前記光ピックアップが奥側に移動するときに前記小基板が前記トレイの奥部と前記トレイの下側のドライブシャーシの奥部に圧接することを防止するための圧接防止手段が設けられており、前記小基板のパターンをショートするときに前記小基板が前記ディスクで覆われないように構成したことを特徴としている。
【００１０】
請求項３に記載の発明は、請求項２に記載の発明において、前記圧接防止手段は、前記腕部の奥側に設けられた長孔と、前記板状部から前向きに突設されて前記長孔に前後移動可能に挿入されて伸縮自在とされたロッドと、前記腕部の奥端と前記板状部との間に配置されて前記ロッドに巻設されたスプリングとで構成されている。
【発明の効果】
【００１１】
請求項１に記載の発明によれば、メイン基板にフレキシブルフラットケーブルで接続された小基板が、光ピックアップから奥向きに延設された左右一対の腕部の端部に設けられた板状部に取り付けられているから、この小基板がディスクをトレイに載置した状態でもこのディスクで隠れることがなく、小基板のパターンをショートできてメイン基板取替え時の時間短縮を図ることができる。また、トレイとトレイの下側のドライブシャーシの奥側に切込み部がそれぞれ形成されているから、光ピックアップが奥側に移動しても小基板がトレイ及びドライブシャーシに圧接することがなく、小基板が損傷することを防ぐことができる。
【００１２】
請求項２に記載の発明によれば、メイン基板にフレキシブルフラットケーブルで接続されている小基板が、光ピックアップから奥向きに延設された腕部の端部に設けられた板状部に取り付けられているから、この小基板がディスクをトレイに載置した状態でもこのディスクで隠れることがなく、小基板のパターンをショートできてメイン基板取替え時の時間短縮を図ることができる。また、腕部に圧接防止手段が設けられているから、光ピックアップが奥側に移動しても腕部の端部の板状部に取り付けられた小基板がトレイ及びドライブシャーシの奥側に圧接することがなく、小基板が損傷することを防ぐことができる。
【００１３】
請求項３に記載の発明によれば、圧接防止手段が、腕部の奥側に設けられた長孔と、板状部から前向きに突設されて長孔に移動可能に伸縮自在とされたロッドと、腕部の奥端と板状部との間に配置されてロッドに巻設されたスプリングとで構成されているから、板状部に取り付けられた小基板がトレイ及びドライブシャーシの奥側に接したときに、前記スプリングで接触の度合いが緩和されて小基板が圧接することがなく、小基板が損傷することを防ぐことができる。
【発明を実施するための最良の形態】
【００１４】
以下、本発明に係るＤＶＤプレーヤーの実施の形態について、図を参照しつつ説明する。
【００１５】
図１は本発明の第１実施形態のＤＶＤプレーヤーの概略平面図である。
【００１６】
この第１実施形態のＤＶＤプレーヤーは、図１に示すように、シャーシからなる筐体１の前端にフロントパネル２が取り付けられ、内部にディスクＤを載置するトレイ３が出入り可能に配置され、このトレイ３の側部にメイン基板４が配置されている。トレイ３には、ディスク載置部分の中央部から奥側に向けて開口部５が形成され、下側に光ピックアップ６が配置されている。光ピックアップ６の奥側面には左右一対の腕部７、７が奥向きに延設され、この腕部７、７の端部に板状部８が設けられてこの板状部８に小基板９が取り付けられている。小基板９からメイン基板４のコネクタ１０までフレキシブルフラットケーブル１１が配設されて接続されている。トレイ３の奥側とこのトレイ３の下側のドライブシャーシ１２には、光ピックアップ６が奥側に移動するときに小基板９が圧接することを防止するための切込み部３ａ、１２ａがそれぞれ形成されている。また、小基板９と光ピックアップ６は、腕部７の側部に添設された配線１３によって接続されている。
【００１７】
従って、この第１実施形態によれば、メイン基板４にフレキシブルフラットケーブル１１で接続された小基板９が、光ピックアップ６から奥向きに延設された左右一対の腕部７，７の端部に設けられた板状部８に取り付けられているから、この小基板９がディスクＤをトレイ３に載置した状態でもこのディスクＤで隠れることがなく、小基板９のパターンをショートできてメイン基板４の取替え時の時間短縮を図ることができる。また、トレイ３とトレイ３の下側のドライブシャーシ１２の奥側に切込み部３ａ、１２ａがそれぞれ形成されているから、光ピックアップ６が奥側に移動しても小基板９がトレイ３及びドライブシャーシ１２に圧接することがなく、小基板９が損傷することを防ぐことができる。
【００１８】
図２は第２実施形態のＤＶＤプレーヤーの概略平面図である。尚、上記した第１実施形態と同一部材、同一箇所には、同一符号を付してその説明を省略する。
【００１９】
この第２実施形態のＤＶＤプレーヤーは、図２に示すように、左右一対の腕部７、７の奥側に設けられた長孔７ａ、７ａと、板状部８から前向きに突設されて長孔７ａ、７ａに移動可能に挿入されて伸縮自在とされた左右一対のロッド１４、１４と、腕部７、７の奥端と板状部８との間に配置されてロッド１４、１４に巻設されたスプリング１５、１５とからなる圧接防止手段１６が設けられている。
【００２０】
従って、この第２実施形態によれば、板状部８に取り付けられた小基板９がトレイ３及びドライブシャーシ１２の奥側に接したときに、圧接防止手段１６のスプリング１５、１５で接触の度合いが緩和されて小基板９が圧接することがなく、小基板９が損傷することを防ぐことができる。
【００２１】
尚、上記実施形態では、腕部７が左右一対設けられたものについて説明したが、これに限らず、腕部７が１本もしくは３本以上設けられていてもよいことは勿論である。
【図面の簡単な説明】
【００２２】
【図１】本発明の第１実施形態のＤＶＤプレーヤーの概略平面図である。
【図２】第２実施形態のＤＶＤプレーヤーの概略平面図である。
【図３】従来のＤＶＤプレーヤーの概略平面図である。
【図４】従来の第１例の基板検査装置の構成図である。
【図５】従来の第２例の基板検査装置の構成図である。
【符号の説明】
【００２３】
Ｄ        ディスク
１        シャーシからなる筐体
２        フロントパネル
３        トレイ
３ａ      切込み部
４        メイン基板
５        開口部
６        光ピックアップ
７        腕部
７ａ      長孔
８        板状部
９        小基板
１０      コネクタ
１１      フレキシブルフラットケーブル
１２      ドライブシャーシ
１２ａ    切込み部
１３      配線
１４      ロッド
１５      スプリング
【図１】
2008034048.tif 000003
【図２】
2008034048.tif 000004
【図３】
2008034048.tif 000005
【図４】
2008034048.tif 000006
【図５】
2008034048.tif 000007